(57)【要約】【課題】  機密文書を示すための特定の文字、あるいはマークを予め定める必要が無く、また、特殊な用紙等を用いることも必要とせずに、機密文書の持つ文章内の文字列の特徴を予め登録し、読み込まれた文書の画像データから文字列を読み出し、前記登録された文字列との比較により読み込まれた文書が機密文書であるか否かを判定すること。【解決手段】  画像データの中に含まれる文字を認識する文字認識手段と、前記文字認識手段により認識された文字を、一連の文字列として認識する文字列認識手段と、認識された文字列をリスト化する文字列リスト化手段と、リスト化された文字列を、予め登録された文字列を記憶している文字列登録テーブル内の文字列と照合する文字列照合手段と、前記文字列照合手段による照合結果を参照して、読み取られた前記画像データの転送可否を決定する制御手段とを有することを特徴とする画像処理装置。【選択図】        図３
2005184743.tif 000002
【特許請求の範囲】
【請求項１】
画像読み取り手段により原稿を読み取って画像データを取得し、画像処理を施す画像処理装置であって、
前記画像データの中に含まれる文字を認識する文字認識手段と、
前記文字認識手段により認識された文字を、一連の文字列として認識する文字列認識手段と、
前記文字列認識手段により得られた文字列を、リスト化する文字列リスト化手段と、
前記文字列リスト化手段によりリスト化された文字列を、予め登録された文字列を記憶している文字列登録テーブル内の文字列と照合する文字列照合手段と、
前記文字列照合手段による照合結果を参照して、読み取られた前記画像データの転送可否を決定する制御手段と
を有することを特徴とする画像処理装置。
【請求項２】
前記文字列登録テーブルに登録する文字列が印字されている原稿を、画像読み取り手段で読み取り、
読み取った文字列を、前記文字列登録テーブルに登録する文字列登録手段を有することを特徴とする請求項１に記載の画像処理装置。
【請求項３】
画像読み取り手段で読み取り可能なマークが原稿内の文字列に付与されている原稿を、画像読み取り手段で読み取り、
マークが付与された文字列を、前記文字列登録テーブルに登録する文字列登録手段を有することを特徴とする請求項１に記載の画像処理装置。
【請求項４】
情報処理機器から送られた画像データ、もしくは原稿画像読み取り手段により読み取って得た画像データから、ハードコピーを出力する画像形成装置であって、
画像データの中に含まれる文字を認識する文字認識手段と、
前記文字認識手段により認識された文字を、一連の文字列として認識する文字列認識手段と、
前記文字列認識手段により得られた文字列を、リスト化する文字列リスト化手段と、
前記文字列リスト化手段によりリスト化された文字列を、予め登録された文字列を記憶している文字列登録テーブル内の文字列と照合する文字列照合手段と、
前記文字列照合手段による照合結果を参照して、ハードコピーの出力可否を決定する制御手段と
を有することを特徴とする画像形成装置。
【請求項５】
前記文字列登録テーブルに登録する文字列が印字されている原稿を、画像読み取り手段で読み取り、
読み取った文字列を、前記文字列登録テーブルに登録する文字列登録手段を有することを特徴とする請求項４に記載の画像形成装置。
【請求項６】
画像読み取り手段で読み取り可能なマークが原稿内の文字列に付与されている原稿を、画像読み取り手段で読み取り、
マークが付与された文字列を、前記文字列登録テーブルに登録する文字列登録手段を有することを特徴とする請求項４に記載の画像形成装置。
【発明の詳細な説明】
【技術分野】
【０００１】
本発明は、機密文書の複製や、転送を防止する機能を有する画像処理装置、および画像形成装置に関わる。
【背景技術】
【０００２】
近年、オフィスにおいては、デジタル技術の進展に伴って、スキャナーにより原稿画像をコンピュータに取り込み、取り込んだ画像データを他のコンピュータに転送したり、あるいはプリンタ等に出力してハードコピーを得るシステムや、複写機、ファクシミリ、プリンタの機能を合わせ持った複合機と呼ばれる画像形成装置が広く使用されている。
【０００３】
このような状況に対応するために、前述したシステム、あるいは画像処理装置を用いて行われる可能性がある機密文書の複製や転送を防止することを目的として、多くの提案がなされている。
【０００４】
古くは、紙幣や有価証券等の複写を防止するために、それらを特徴づける模様や色等の画像データを、予め画像形成装置に記憶させておき、原稿画像読み取り手段により得られた画像データと、記憶された前記画像データとのパターンマッチングを行って複写の可否を決定するという提案がある（例えば、特許文献１参照。）。
【０００５】
また、複合機においては、情報処理装置から送られた画像データ、もしくは原稿画像読み取り手段にて読み取った画像データからのハードコピー出力を禁止するだけでなく、他の装置への該画像データの転送も禁止することも一般的に行われている。
【０００６】
予め記憶させるパターンとしては、紙幣や有価証券等の場合には、それらの持つ図柄の特徴と色構成であるが、ビジネス文書の場合には、それらに代わり「極秘」や「コピー禁止」等の特定の文字、あるいは独自に設定した機密マークを用いる提案がなされている（例えば、特許文献２。）。
【０００７】
また、上述のパターンマッチングの代わりに、画像形成装置にコード、番号等を予め登録し、原稿にはバーコード等の符号を特定位置に付与して、読み取った原稿画像データから登録されたコード、番号等を検出して、画像形成装置に登録されているコード、もしくは番号と照合するという方法も提案されている（例えば、特許文献３。）。
【０００８】
このような方法は、対象とする複写禁止物、あるいは機密文書が予め明確であり、これらを特徴づける所定の情報を読み取る、あるいは検知する手段を予め準備して、処理を実行するものである。
【０００９】
しかしながら、ビジネス原稿に記されている機密保持のための文字や、マークをマスキングすれば、このような防止手段をすり抜けることは可能である。
【００１０】
このようなすり抜けを防止するために、書面を眺めただけでは認識できない、隠し文字やマークが予め印刷された用紙を用いて機密文書を作成して、この機密文書が読み取られ、出力がされたときに、出力された画像に特定の文字、あるいは模様が現れるようにする方法もある。しかしながら、書類に特定の用紙を用いなければならないという条件が生じ、ビジネス活動には不便なものである。
【特許文献１】特開平２−５２３８４号公報
【特許文献２】特開平７−５６４８４号公報
【特許文献３】特開平５−１６５１１２号公報
【発明の開示】
【発明が解決しようとする課題】
【００１１】
本発明は、上述のような状況に鑑みてなされたもので、その目的は、機密文書を示すための特定の文字、あるいはマークを予め定める必要が無く、また、特殊な用紙等を用いることも必要とせずに、機密文書の持つ文章内の文字列の特徴を予め登録し、読み込まれた文書の画像データから文字列を読み出し、前記登録された文字列との比較により読み込まれた文書が機密文書であるか否かを判定することにある。
【課題を解決するための手段】
【００１２】
請求項１に係わる発明は、画像読み取り手段により原稿を読み取って画像データを取得し、画像処理を施す画像処理装置であって、
前記画像データの中に含まれる文字を認識する文字認識手段と、
前記文字認識手段により認識された文字を、一連の文字列として認識する文字列認識手段と、
前記文字列認識手段により得られた文字列を、リスト化する文字列リスト化手段と、
前記文字列リスト化手段によりリスト化された文字列を、予め登録された文字列を記憶している文字列登録テーブル内の文字列と照合する文字列照合手段と、
前記文字列照合手段による照合結果を参照して、読み取られた前記画像データの転送可否を決定する制御手段と
を有することを特徴とする画像処理装置である。
【００１３】
請求項２に係わる発明は、前記文字列登録テーブルに登録する文字列が印字されている原稿を、画像読み取り手段で読み取り、
読み取った文字列を、前記文字列登録テーブルに登録する文字列登録手段を有することを特徴とする請求項１に記載の画像処理装置である。
【００１４】
請求項３に係わる発明は、画像読み取り手段で読み取り可能なマークが原稿内の文字列に付与されている原稿を、画像読み取り手段で読み取り、
マークが付与された文字列を、前記文字列登録テーブルに登録する文字列登録手段を有することを特徴とする請求項１に記載の画像処理装置である。
【００１５】
請求項４に係わる発明は、情報処理機器から送られた画像データ、もしくは原稿画像読み取り手段により読み取って取得した画像データから、ハードコピーを出力する画像形成装置であって、
画像データの中に含まれる文字を認識する文字認識手段と、
前記文字認識手段により認識された文字を、一連の文字列として認識する文字列認識手段と、
前記文字列認識手段により得られた文字列を、リスト化する文字列リスト化手段と、
前記文字列リスト化手段によりリスト化された文字列を、予め登録された文字列を記憶している文字列登録テーブル内の文字列と照合する文字列照合手段と、
前記文字列照合手段による照合結果を参照して、ハードコピーの出力可否を決定する制御手段と
を有することを特徴とする画像形成装置である。
【００１６】
請求項５に係わる発明は、前記文字列登録テーブルに登録する文字列が印字されている原稿を、画像読み取り手段で読み取り、
読み取った文字列を、前記文字列登録テーブルに登録する文字列登録手段を有することを特徴とする請求項４に記載の画像形成装置である。
【００１７】
請求項６に係わる発明は、画像読み取り手段で読み取り可能なマークが原稿内の文字列に付与されている原稿を、画像読み取り手段で読み取り、
マークが付与された文字列を、前記文字列登録テーブルに登録する文字列登録手段を有することを特徴とする請求項４に記載の画像形成装置である。
【発明の効果】
【００１８】
請求項１に記載の発明によれば、機密原稿に複写、画像データの転送等を禁止するための特定のマーク、文字を付与することなく、機密原稿を検知することが可能となり、読み取った機密原稿の画像データの転送を禁止することができる。
【００１９】
請求項２に記載の発明によれば、機密原稿に特定のマーク、文字を付与することなく、読み取った機密原稿の画像データから文字列を抽出して、予め登録されている文字列との照合結果により画像データ転送を禁止する画像処理装置において、文字列登録テーブルに登録する文字列を印字した文書を画像読み取り手段で読み取らせることにより、文字列の登録を容易に行うことができる。
【００２０】
請求項３に記載の発明によれば、機密原稿に特定のマーク、文字を付与することなく、読み取った機密原稿の画像データから文字列を抽出して、予め登録されている文字列との照合結果により画像データ転送を禁止する画像処理装置において、登録する文字列にマークをした文書を画像読み取り手段で読み取らせることにより、文字列の登録を容易に行うことができる。
【００２１】
請求項４に記載の発明によれば、機密原稿に複写、画像データの転送等を禁止するための特定のマーク、文字を付与することなく、機密原稿を検知することが可能となり、読み取った機密原稿の画像データの転送、およびハードコピーの作成を禁止することができる。
【００２２】
請求項５に記載の発明によれば、機密原稿に特定のマーク、文字を付与することなく、読み取った機密原稿の画像データから文字列を抽出して、予め登録されている文字列との照合結果により画像データ転送、およびハードコピーの出力を禁止する画像形成装置において、文字列登録テーブルに登録する文字列を印字した文書を画像読み取り手段で読み取らせることにより、文字列の登録を容易に行うことができる。
【００２３】
請求項６に記載の発明によれば、機密原稿に特定のマーク、文字を付与することなく、読み取った機密原稿の画像データから文字列を抽出して、予め登録されている文字列との照合結果により画像データ転送、およびハードコピーの出力を禁止する画像形成装置において、登録する文字列にマークをした文書を画像読み取り手段で読み取らせることにより、文字列の登録を容易に行うことができる。
【発明を実施するための最良の形態】
【００２４】
以下、図面に基づき本発明の実施の形態を説明する。
【００２５】
図１は、本発明の実施の形態に係わるデジタル式の画像形成装置Ｇで、複写機、ファクシミリ、プリンタの機能を有する、通称、複合機と呼ばれる装置を示す概略構成図である。
【００２６】
本画像形成装置は、本体の上部に自動原稿送り装置ＡＤＦを有し、本体は、画像読み取り手段１、画像書き込み手段２、画像形成手段３、操作表示手段４、給紙手段５、排紙再給紙手段６、および、定着手段７、制御手段Ｃ１等から構成されている。
【００２７】
自動原稿送り装置ＡＤＦは、原稿載置台１１に載置された原稿を原稿分離手段１２によって一枚ずつ原稿搬送手段１３に送り出し、原稿搬送手段１３は送られた原稿を原稿排紙手段１４に搬送し、原稿排紙手段１４は送られた原稿を原稿排紙台１５に排紙する。原稿画像は原稿搬送路に設けられた、画像読み取り手段１の原稿画像読み取り位置であるスリット２１にて読み取りがなされる。
【００２８】
原稿両面の画像を読み取る場合には、一対のローラを有する原稿反転手段１６によって、第１面を読み取られた原稿が表裏反転されて、再度、原稿搬送手段１３に送り出されることにより第２面の読み取りがなされる。読み取りが終了した原稿は原稿排紙台１５に排紙される。
【００２９】
画像読み取り手段１は、原稿画像を読み取って画像データを得るための手段であり、スリット２１の位置にて、ランプ２３１により光照射された原稿画像を第１ミラーユニット２３と、第２ミラーユニット２４と、結像レンズ２５とによりライン状のＣＣＤである撮像素子２６に結像させている。撮像素子２６から出力された信号は、制御手段Ｃ１の画像処理部においてＡ／Ｄ変換され、シェーディング補正、画像圧縮等の処理がなされてメモリＭ１に画像データとして保存される。
【００３０】
画像書き込み手段２は、メモリＭ１から呼び出されて所定の画像処理が施された画像データに基づき、レーザビームとポリゴンミラーとにより、帯電手段３２によって一様帯電されて回転している像担持体３１の表面を走査して、像担持体３１の面上に原稿画像に対応した静電潜像を形成する。
【００３１】
前記静電潜像は、画像形成手段３の現像手段３４により反転現像されて、トナー画像が像担持体３１上に形成される。
【００３２】
トナー画像形成のタイミングに対応して、手差し給紙手段５５、もしくは、転写材である用紙Ｐを収容するカセットやトレイを有する給紙手段５からは、用紙Ｐが給送され、搬送ローラ５６により搬送され、タイミングローラ３９によって像担持体上に形成された前記トナー画像との位置合わせのための同期が取られて転写領域に送り出される。
【００３３】
転写領域において、像担持体３１の表面に形成されたトナー画像は、転写手段３５により反対極性に帯電された用紙Ｐに転写される。
【００３４】
トナー画像を担持した用紙Ｐは、分離除電手段３６の作用により、像担持体３１の表面から分離し、定着手段７に送られる。
【００３５】
定着手段７において、トナー画像を担持した前記用紙Ｐは、加熱ローラ７１と加圧ローラ７２により加熱加圧を受けながら搬送され、トナー画像が用紙Ｐに定着されて、排出ローラ６３によって機外の排紙台６４に排出される。
【００３６】
なお、用紙Ｐを表裏反転して排紙台６４に排出する場合には、切換ガイド６２により、用紙Ｐを排紙再給紙手段６に導き、用紙Ｐをスイッチバックさせて排出ローラ６３に送る。
【００３７】
また、用紙Ｐの両面に画像形成をする場合には、第１面の定着を終えた用紙Ｐを、切換ガイド６２により排紙再給紙手段６に導き、反転部６５にて反転させた後、給紙のための搬送路６６に送り出し、第２面の画像形成に供する。
【００３８】
一方、用紙Ｐへのトナー画像の転写を終えた像担持体３１の表面は、クリーニング手段３７により残留トナーが除去されて次なる画像形成に向けての準備がなされる。
【００３９】
図２は、本発明の実施の形態に係わる画像形成装置の要部の制御関係を示すブロック図である。制御手段Ｃ１はＣＰＵ（ＣＰＵ１）、メモリＭ１を始め、図に記されてはいないが演算ユニット、Ｉ／Ｏポート、通信用インターフェイス等を有するコンピュータシステムであり、各手段を駆動するための制御部も有している。
【００４０】
文字認識手段Ｐ１、文字列認識手段Ｐ２、文字列リスト化手段Ｐ３、文字列照合手段Ｐ４、文字列登録テーブルＰ５等はプログラム、あるいはテーブルの形式でＲＡＭおよびＲＯＭから構成される記憶手段Ｍ１に保存されている。なお、文字認識、文字列認識、文字列リスト化、文字列照合に使用されるプログラムは一般に使用されている公知のものである。
【００４１】
自動原稿送り装置１の制御手段Ｃ２も、制御手段Ｃ１に比較して規模は小さいが、ＣＰＵを中心とした同様なシステム構成である。制御手段Ｃ１と制御手段Ｃ２とは、本例においては通信手段Ｔ２にて接続されている。
【００４２】
また、制御手段Ｃ１は通信手段Ｔ１を介して、ＬＡＮ、もしくは公衆回線に接続され、他の情報機器とのデータの交換ができるようになっている。
【００４３】
なお、本発明の実施の形態の説明に直接関係しないブロックについては、図中の記載を省略してある。
【００４４】
図３は、本発明による文字列の照合により複写禁止文書や機密文書の判定を行う処理の流れを示すフローチャートである。
【００４５】
画像読み取り手段１により読み取られた原稿画像は、制御手段Ｃ１のメモリＭ１の所定の領域にイメージデータとして保存される（ステップＳ１）。前記イメージデータとして保存されているデータ内の文字部分は、文字認識手段Ｐ１により文字として認識され、文字コードに変換される（ステップＳ２）。コード化された各文字は、文字列認識手段Ｐ２により、ある意味を持つ文字列とし認識される（ステップＳ３）。認識された文字列（認識文字列と称す）は、文字列リスト化手段Ｐ３により一連の番号が付与されてリストとして並べられ（認識文字列リストと称す）、そして認識文字列リスト中の文字列の総数（ＮＮ）が設定される（ステップＳ４）。
【００４６】
文字列登録テーブルＰ５から、登録されている文字列（登録文字列と称す）と、登録文字列の総数（ＭＭ）を所定のエリアに設定する（ステップＳ５）。認識文字列リストから順次認識文字列を読み出すためのカウンタ（Ｋ）と、登録文字列と認識文字列が一致した数をカウントするカウンタ（ＣＮＴ）とをリセットする（ステップＳ６）。
【００４７】
Ｋの内容に１を加え（ステップ７）、ＫがＮＮよりも大きくない場合（ステップ８；Ｎ）、Ｋ番目の認識文字列を認識文字列リストから読み出し（ステップＳ９）、文字列登録テーブルＰ５から読み出された全ての登録文字列との照合が行われる（ステップＳ１０）。照合の結果、一致するものがあった場合（ステップＳ１１；Ｙ）にはＣＮＴに１を加え（ステップＳ１２）、ステップＳ７へ戻る。一致するものが無かった場合（ステップＳ１１；Ｎ）には、そのまま、ステップＳ７へ戻る。
【００４８】
次に、ＫがＮＮよりも大きい場合（ステップＳ８；Ｙ）、即ち、全ての認識文字列の照合が終了すると、ＣＮＴ／ＭＭが計算され、計算結果が予め設定した設定値１（Ｖ１）よりも小さい場合（ステップＳ１３；Ｙ）には、出力許可フラグをセットする（ステップＳ１４）。ＣＮＴ／ＭＭ≧Ｖ１であった場合（ステップＳ１３；Ｎ）には、予め設定した第２の設定値（Ｖ２）との比較が行われ、Ｖ２よりも小さい場合（ステップＳ１５；Ｙ）には、警告フラグがセットされ（ステップＳ１６）、ＣＮＴ／ＭＭ≧Ｖ２であった場合（ステップＳ１５；Ｎ）には出力禁止フラグがセットされる（ステップＳ１７）。
【００４９】
なお、上記の例においては、原稿から抽出した文字列と、登録されていた文字列とがどの程度の割合で一致したかということを基に各フラグをセットしているが、予め、登録した文字列のいくつかを操作表示手段４にて特定化して、原稿から抽出された文字列の中に、１個でも特定化された文字列と一致するものがあった場合には、一致の割合とは関係なく出力禁止フラグをセットするようにしても良い。
【００５０】
制御手段Ｃ１は、出力禁止フラグがセットされていた場合には、読み込んだ原稿画像のハードコピー出力、および画像データの他の機器への転送を禁止するように、画像書き込み手段２，および通信手段Ｔ１を制御する。さらに、メモリＭ１等に保存された画像データを、例えば意味のないデータで上書きするようにすれば、より機密性が向上する。また、警告フラグがセットされていた場合には操作表示手段４に警告の表示を行い、ユーザによる出力指示、もしくは出力禁止の指示を待つように制御し、出力許可フラグがセットされていた場合には、通常のハードコピー出力、画像データの転送を実行するように制御する。
【００５１】
なお、図３のフローチャートによる説明は、画像形成装置Ｇの画像読み取り手段１から画像データを得る場合を例に挙げて行ったが、スキャナのように画像形成手段を有しない画像処理装置の場合にも適合されるものである。また、他の情報機器から通信手段Ｔ１を介して画像データを受け取り画像形成を行う場合、即ち、画像形成装置Ｇがプリンタとして使用された場合も、ステップＳ１の処理を除き同様であり、その説明は省略する。
【００５２】
次に、機密文書であるか否かの判定に参照される文字列登録テーブルＰ５への文字列登録方法について説明する。
【００５３】
文字列の登録方法としては三つの方法がある。
【００５４】
第１は、適宜な情報処理機器、例えばパーソナルコンピュータで、予め登録する文字列を作成して、この文字列データを画像形成装置Ｇに転送して、記憶手段Ｍ１の文字列登録テーブルＰ５に保存するものであり、一般的な方法である。
【００５５】
第２は、予めユーザが、登録する文字列を記した原稿を作成して、作成された原稿を画像読み取り手段１にて読み取り、得られた画像データから文字列を抽出して、文字列登録テーブルＰ５に登録する方法である。
【００５６】
第３は、予めユーザが、原稿の文章内にある登録すべき文字列に、下線や塗りつぶし等の画像読み取り手段１が読み取れる適宜なマークを付与して、このマークが付与された原稿を画層読み取り手段１で読み取り、読み取った画像データからマークが付与された文字列を文字列登録テーブルＰ５に登録する方法である。
【００５７】
図４は、上記の第２の方法による文字列登録テーブルＰ５に文字列を登録する処理の流れを示すフローチャートである。
【００５８】
先ず、操作表示手段４により、文字列登録ジョブを起動させる（ステップＳ２０）。操作表示手段４にジョブの起動と、次の操作を促すメッセージが表示されたら、予め作成してある原稿を画像読み取り手段１により読み込ませる（ステップＳ２１）。
【００５９】
読み込まれた原稿は、文字認識手段Ｐ１により文字認識がなされ（ステップＳ２２）、画像情報が文字情報に変換される。文字情報は、文字列認識手段Ｐ２により文字列としてまとめられ（ステップＳ２３、ステップＳ２４）、認識された文字列は文字列リストとして操作表示手段４に表示される（ステップＳ２５）。
【００６０】
ユーザは、表示された文字列リストを確認して、確認の結果が「ＮＯ」であれば（ステップＳ２６；Ｎ）、再度、原稿の読み込みを実行し、「ＹＥＳ」であれば（ステップＳ２６；Ｙ）、操作表示手段４により登録の指示を出す。この指示により、表示された文字列リストは文字列登録テーブルＰ５に登録される（ステップ２７）。
【００６１】
なお、前記第３の登録方法における文字列認識は、文字列認識手段Ｐ２により行われるのではなく、付与されたマークと、文字認識された文字とを基に文字列を認識するもので、他の流れは第２の登録方法と同じである。
【００６２】
このようにして、ユーザは、原稿が機密文書であるか否かを判定するために参照される文字列登録テーブルＰ５への文字列の登録を容易に行うことができる、また、対象分野別に、例えば、企画、研究、生産、販売、人事等の機密文書に対して個別の文字列を登録することも容易となる。
【００６３】
図５は、文字列登録テーブルＰ５に登録されている文字列の例を示す図である。
【００６４】
図５（１）は会社における共通な文字列例であり、図５（２）は工場の発注部門で有効な文字列例であり、図５（３）は研究開発部門で有効な文字列例である。なお、登録する文字列の数については特に制限はない。
【図面の簡単な説明】
【００６５】
【図１】本発明の実施の形態に係わる画像形成装置（複合機）を示す概略構成図である。
【図２】本発明の実施の形態に係わる画像形成装置の要部の制御関係を示すブロック図である
【図３】複写禁止文書や機密文書の判定を行う流れを示すフローチャートである。
【図４】文字列登録テーブルに文字列を登録する流れを示すフローチャートである。
【図５】図５（１）は会社における共通な登録文字列例であり、図５（２）は工場発注部門で有効な登録文字列例であり、図５（３）は研究開発部門で有効な登録文字列例である。
【符号の説明】
【００６６】
１  画像読み取り手段
２  画像書き込み手段
３  画像形成手段
４  操作表示手段
５  給紙手段
６  排紙再給紙手段
７  定着手段
Ｇ  画像形成装置
Ｃ１  制御手段
Ｃ２  制御手段
Ｍ１  メモリ
Ｐ１  文字認識手段
Ｐ２  文字列認識手段
Ｐ３  文字列リスト化手段
Ｐ４  文字列照合手段
Ｐ５  文字列登録テーブル
Ｔ１  通信手段
Ｔ２  通信手段
ＡＤＦ  自動原稿送り装置
【図１】
2005184743.tif 000003
【図２】
2005184743.tif 000004
【図３】
2005184743.tif 000005
【図４】
2005184743.tif 000006
【図５】
2005184743.tif 000007